(57)【特許請求の範囲】
【請求項１】
ランプの近傍に配置される反射板があって、この反射板が取り付けられる器具本体、この器具本体の表側に形成された上記反射板を保持するためのラッチバネ、および、このラッチバネにて固定され、かつ、上記反射板に形成されるラッチを設け、さらに、このラッチには、接地導通させるための突起が形成された照明器具であって、上記ラッチおよび上記反射板に同ラッチの回転軸を中心とした任意の円周上に高さの異なる凹凸で同ラッチの回転中に塗膜保護機能を有するようになしたことを特徴とする照明器具。
【請求項２】
上記突起が、垂直に立てられたものではなく、傾斜を付けたものであり、その頂点部が当たる構造であることを特徴とする請求項１記載の照明器具。
【請求項３】
上記突起の先端形状を鈍角となしたことを特徴とする請求項１又は２記載の照明器具。
【発明の詳細な説明】
【０００１】
【発明の属する技術分野】
本発明は、照明器具に関し、具体的には、建物の天井面などに取り付けられるのに有用な照明器具に関するものである。
【０００２】
【従来の技術】
従来の照明器具としては、例えば、図１６および図１７の［１］、［２］に示すごとく、ソケット（８）に取り付けられるランプ（１）とこのランプ（１）の近傍に配置される反射板（２）があって、このランプ（１）と反射板（２）が取り付けられる器具本体（３）、この器具本体（３）の表側に形成された上記反射板（２）を保持するためのラッチバネ（５）、および、このラッチバネ（５）にて固定され、かつ、上記反射板（２）に形成される樹脂製のラッチ（４）を設けたものが知られていたものであり、上記反射板（２）の器具本体（３）ヘの取り付けとしては、同図１７の［１］から［２］に示したようにラッチ（４）を９０°回転させて、ラッチバネ（５）を引き下げてから、反射板（２）を取り付けて固定していたものであった。
【０００３】
また、図１８および図１９に示すごとく、ソケット（８）に取り付けられるランプ（１）とこのランプ（１）の近傍に配置される反射板（２）があって、このランプ（１）と反射板（２）が取り付けられる器具本体（３）、および、この器具本体（３）の表側に形成された上記反射板（２）を保持するための樹脂製のラッチ（４）を設けたものも知られていたものであり、このような場合、上記反射板（２）の器具本体（３）ヘの取り付けとしては、同図１９に示したようにラッチ（４）を９０°回転させた上で、反射板（２）を取り付けて固定していたものであった。
【０００４】
さらには、図２０および図２１に示すごとく、ソケット（８）に取り付けられるランプ（１）とこのランプ（１）の近傍に配置される反射板（２）があって、このランプ（１）と反射板（２）が取り付けられる器具本体（３）を単に設けたものもよく用いられていたものであり、このような場合、上記反射板（２）の器具本体（３）ヘの取り付けとしては、同図２１に示したように反射板（２）の弾性力にて器具本体（３）の側面に形成された凹部（６）に同反射板（２）の端部を嵌め込んだ上で、反射板（２）を取り付けて固定していたものであった。
【０００５】
【発明が解決しようとする課題】
しかしながら、このような従来の照明器具においては、上述したいずれの場合も、反射板（２）の器具本体（３）ヘの取り付けの際に、特に引っ掛かったりする部分もなくて、反射板（２）の器具本体（３）ヘの取り付け施工としては、スムーズに完結するものであるが、反射板（２）の器具本体（３）ヘの取り付けの際には、塗装面どうしの接触や塗装面と樹脂製のものとの接触であるために、反射板（２）の器具本体（３）ヘの取り付け施工後、電源電線や器具本体（３）内の配電線が触れる恐れのある反射板（２）に対して接地導通をとれていないものであった。
【０００６】
本発明は、上述の問題を解決するためになされたものであって、その目的とするところは、電源電線や器具本体内の配電線が触れる恐れのある反射板に対して接地導通を確実にすることができる照明器具を提供するものである。
【０００７】
【課題を解決するための手段】
本発明の請求項１に係る照明器具は、ランプ（１）の近傍に配置される反射板（２）があって、この反射板（２）が取り付けられる器具本体（３）、この器具本体（３）の表側に形成された上記反射板（２）を保持するためのラッチバネ（５）、および、このラッチバネ（５）にて固定され、かつ、上記反射板（２）に形成されるラッチ（４）を設け、さらに、このラッチ（４）には、接地導通させるための突起（７）が形成されたことを特徴とする。
【０００８】
本発明の請求項１に係る照明器具は、上記ラッチ（４）および上記反射板（２）に同ラッチ（４）の回転軸を中心とした任意の円周上に高さの異なる凹凸（９）で同ラッチ（４）の回転中に塗膜保護機能を有するようになしたことを特徴とする。
【００１３】
本発明の請求項２に係る照明器具は、上記突起（７）が、垂直に立てられたものではなく、傾斜を付けたものであり、その頂点部（１２）が当たる構造であることを特徴とする。
【００１４】
本発明の請求項３に係る照明器具は、上記突起（７）の先端形状を鈍角となしたことを特徴とする。
【００１５】
【発明の実施の形態】
以下、本発明を実施形態に係る図面に基づいて詳しく説明する。
【００１６】
図１の（ａ）は、本発明の第１の実施形態に係る照明器具を示した断面図であり、図１の（ｂ）は、同図１の（ａ）の照明器具において、反射板とラッチの近傍のみを示した断面図であり、図１の（ｃ）は、同図１の（ａ）の照明器具において、器具本体とラッチの近傍のみを示した断面図である。図２は、本発明の第１の実施形態に係る照明器具を示した、ラッチバネに取り付けられる前の様子の断面図である。図３は、本発明の第１の実施形態に係る照明器具を示した、反射板取り付け前の断面図である。図４の（ａ）は、図３のＡ矢視図であり、図４の（ｂ）は、図３のＢ矢視図である。図５の（ａ）は、図４の（ｂ）のＣ−Ｃ断面図であり、図５の（ｂ）は、図４の（ｂ）のＤ−Ｄ断面図である。図６は、本発明の第１の実施形態に係る照明器具を示した、反射板取り付け後の断面図である。図７の（ａ）、（ｂ）ともに、本発明の第１の実施形態に用いられる反射板とラッチとに形成された凹凸の大きさが合っているために、同反射板と同ラッチとの間に隙間はできず、突起は反射板に食い込み、接地導通を確保している様子を示した平面図である。図８の（ａ）は、図７の（ｂ）のＣ−Ｃ断面図であり、図８の（ｂ）は、図７の（ｂ）のＤ−Ｄ断面図である。図９は、本発明の第２の実施形態に係る照明器具を示した断面図である。図１０は、本発明の第２の実施形態に係る照明器具に用いられる反射板止め金具を示した平面図である。図１１は、本発明の第３の実施形態に係る照明器具を示した断面図である。図１２は、図１１のＡ矢視図である。図１３の（ａ）は、本発明の第４の実施形態に係る照明器具を示した断面図であり、図１３の（ｂ）は、同図１３の（ａ）の要部のみを示した断面図である。図１４は、本発明の第４の実施形態に係る照明器具を示した要部の平面図である。図１５の（ａ）ないし（ｃ）は、いずれも本発明の照明器具に用いられる突起の形状を示した概略図である。
【００１７】
本発明の照明器具は、図１ないし図８に示すごとく、ランプの近傍に配置される反射板（２）があって、この反射板（２）が取り付けられる器具本体（３）、この器具本体（３）の表側に形成された上記反射板（２）を保持するためのラッチバネ（５）、および、このラッチバネ（５）にて固定され、かつ、上記反射板（２）に形成されるラッチ（４）を設け、さらに、このラッチ（４）には、接地導通させるための突起（７）が形成されているものである。
【００１８】
上記ランプは、例えば、蛍光灯が用いられるものであるが、その他豆電球タイプの形状のものなどが用いられたとしてもかまわないものである。そして、このランプは、ソケット台のソケット部分に取り付けられているものである。
【００１９】
上記反射板（２）は、上記ランプの近傍に配置されているものである。この反射板（２）の表面は、塗料の塗膜がコートされているものであり、同反射板（２）の材質としては、上記ランプからの光を反射させることができるものであれば、様々な材質のものを自由自在に設定して使用することができるものである。
【００２０】
そして、図１ないし図７に示すごとく、上記器具本体（３）は、上記反射板（２）が取り付けられるものである。この器具本体（３）の表面は、上記反射板（２）の場合と同様に、塗料の塗膜がコートされているものである。
【００２１】
上記ラッチバネ（５）は、図１の（ａ）に示すごとく、上記器具本体（３）の表側に形成されているものである。そして、このラッチバネ（５）は、上記反射板（２）を保持するためのものである。このラッチバネ（５）は、例えば、上記反射板（２）および上記器具本体（３）にカシメられているものである。
【００２２】
上記ラッチ（４）は、図１に示すごとく、上記ラッチバネ（５）にて直に固定されるものであり、上記反射板（２）に形成されているものである。このラッチ（４）は、例えば、上記ラッチバネ（５）に接触するようにして固定されているものである。そして、このラッチ（４）の内方側には、導電性の補強金具（１３）が設けられていてもかまわないものである。
【００２３】
上記突起（７）は、図１の（ａ）〜（ｃ）および図２に示すごとく、接地導通させるためのものであり、上記ラッチ（４）に形成されているものである。この突起（７）としては、接地導通させることができるものであれば、その形態は特に制限されるものではないものであるが、例えば、図１の（ｂ）、（ｃ）および図２、図３に示すごときラッチ（４）を突出させて形成されているものである。この突起（７）にて導電部分を形成しているものである。
【００２４】
本発明は、このような構成をとることによって、従来と同じような器具本体（３）に対しての反射板（２）の取り付け施工方法で、反射板（２）に形成されるラッチ（４）の突起（７）にて反射板（２）の表面の塗膜を破り、同反射板（２）の塗膜の破れた部分で接地導通を確実に取ることができて、結果として、接地導通が容易にとれるものである。
【００２５】
すなわち、本発明は、電源電線や器具本体（３）内の配電線が触れる恐れのある反射板（２）に対して接地導通を確実にすることができるものである。
【００２６】
また、図４、図５、図７および図８のそれぞれ（ａ）、（ｂ）に示すごとく、上記ラッチ（４）および上記反射板（２）に同ラッチ（４）の回転軸を中心とした任意の円周上に高さの異なる凹凸（９）で同ラッチ（４）の回転中に塗膜保護機能を有するようになしているものであると、このような高さの異なる凹凸（９）の存在にて反射板（２）を取り付けていない状態では、反射板（２）およびラッチ（４）に形成された凹凸（９）の大きさが合わないために、反射板（２）とラッチ（４）との間に隙間ができ、突起（７）が反射板（２）に触れず、塗膜を破ることはないものであって、結果的に、ラッチ（４）の回転中に塗膜保護機能を有するようになるものである。
【００２７】
具体的には、図３ないし図５に示すごとく、反射板（２）を取り付けていない状態では、反射板（２）およびラッチ（４）に形成された凹凸（９）の大きさが合っていないために、反射板（２）とラッチ（４）との間に隙間ができ、突起（７）が反射板（２）に触れず、塗膜を破ることはないものである。すなわち、ラッチ（４）の凹ダボ（小）が反射板（２）の凸ダボ（大）に乗り上げているために、反射板（２）とラッチ（４）とに突起（７）の高さ以上の隙間ができるものであり、接地導通用の突起（７）が反射板（２）をキズ付けないものである。
【００２８】
逆に、図６ないし図８に示すごとく、上記反射板（２）を取り付けた状態では、反射板（２）およびラッチ（４）に形成された凹凸（９）の大きさが合っているために、反射板（２）およびラッチ（４）との間に隙間はできず、突起（７）としては反射板（２）に食い込み、結果として、接地導通を確保している状態となるものである。なお、この図６ないし図８に示す場合以外、すなわち、反射板（２）を取り付けた状態以外は、上述したようにラッチ（４）の凹ダボ（小）が反射板（２）の凸ダボ（大）に乗り上げているために、回転動作中、突起（７）で反射板（２）にキズを付けることはないものである。
【００２９】
また、本発明の照明器具としては、図９および図１０に示す第１の参考例のごとく、ランプ（１）の近傍に配置される反射板（２）があって、この反射板（２）が取り付けられる器具本体（３）、この器具本体（３）の表側に形成された上記反射板（２）を保持するためのラッチ（４）、および、このラッチ（４）を取り付けている反射板止め金具（１０）を設け、さらに、この反射板止め金具（１０）には、接地導通させるための突起（７）が形成されているものであってもかまわないものである。
【００３０】
本発明は、このような構成をとることによって、従来と同じような器具本体（３）に対しての反射板（２）の取り付け施工方法で、反射板（２）を保持するためのラッチ（４）を取り付けている反射板止め金具（１０）に形成された突起（７）にて反射板（２）の表面の塗膜を破り、同反射板（２）の塗膜の破れた部分で接地導通を確実に取ることができて、結果として、接地導通が容易にとれるものである。
【００３１】
すなわち、本発明は、電源電線や器具本体（３）内の配電線が触れる恐れのある反射板（２）に対して接地導通を確実にすることができるものである。
【００３２】
具体的には、図９に示すごとく、反射板止め金具（１０）に形成された突起（７）をラッチ（４）の締め付けにて反射板（２）に押し付けて、同反射板（２）の表面の塗膜を破り、同反射板（２）の塗膜の破れた部分で接地導通を確実に取ることができて、結果として、接地導通が容易にとれるものである。
【００３３】
なお、上述の場合、上記器具本体（３）の端部内寸が、反射板止め金具（１０）の爪ピッチの寸法よりも小さいものとなるような工夫がなされていてもかまわないものである。
【００３４】
さらに、本発明の照明器具は、図１１および図１２に示す第２の参考例のごとく、ランプ（１）の近傍に配置される反射板（２）があって、この反射板（２）が取り付けられる器具本体（３）、および、この器具本体（３）の表側に形成された上記反射板（２）に触れるソケット台（１１）を設け、さらに、このソケット台（１１）には、接地導通させるための突起（７）が形成されているものであってもかまわないものである。
【００３５】
本発明は、このような構成をとることによって、従来と同じような器具本体（３）に対しての反射板（２）の取り付け施工方法で、反射板（２）に触れるソケット台（１１）に形成された突起（７）にて反射板（２）の表面の塗膜を破り、同反射板（２）の塗膜の破れた部分で接地導通を確実に取ることができて、結果として、接地導通が容易にとれるものである。
【００３６】
すなわち、本発明は、電源電線や器具本体（３）内の配電線が触れる恐れのある反射板（２）に対して接地導通を確実にすることができるものである。
【００３７】
具体的には、図１２に示すごとく、反射板（２）の取り付けにてソケット台（１１）に形成された突起（７）を同反射板（２）に押し付けて、反射板（２）の表面の塗膜を破り、同反射板（２）の塗膜の破れた部分で接地導通を確実に取ることができて、結果として、接地導通が容易にとれるものである。
【００３８】
また、本発明の照明器具は、図１３の（ａ）、（ｂ）および図１４に示す第３の参考例のごとく、ランプ（１）の近傍に配置される反射板（２）があって、この反射板（２）が取り付けられる器具本体（３）を設け、さらに、同反射板（２）の材料の弾性力にて上記器具本体（３）に保持され、上記器具本体（３）の上記反射板（２）接触面には、接地導通させるための突起（７）が形成されているものであってもかまわないものである。
【００３９】
本発明は、このような構成をとることによって、従来と同じような器具本体（３）に対しての反射板（２）の取り付け施工方法で、突起（７）にて反射板（２）の表面の塗膜を破り、同反射板（２）の塗膜の破れた部分で接地導通を確実に取ることができて、結果として、接地導通が容易にとれるものである。しかも、反射板（２）の材料の弾性力にて器具本体（３）に対して同反射板（２）をより一層簡単に取り付けることができるようになるとともに、取り付け後も、反射板（２）の材料の弾性力にて器具本体（３）に対してより一層確実に保持されるものとなり、非常に有用なものとなる。
【００４０】
すなわち、本発明は、電源電線や器具本体（３）内の配電線が触れる恐れのある反射板（２）に対して接地導通を確実にすることができるものである。
【００４１】
具体的には、図１３の（ａ）および（ｂ）に示すごとく、上記反射板（２）の先端部（１５）を上記器具本体（３）の溝部分（１４）に嵌め込む際に、同器具本体（３）の上記反射板（２）接触面に形成された突起（７）で反射板（２）の表面の塗膜を破り、結果として、接地導通が容易にとれるものである。
【００４２】
そして、本発明の照明器具としては、ランプ（１）の近傍に配置される反射板（２）があって、この反射板（２）が取り付けられる器具本体（３）を設け、さらに、同反射板（２）には、接地導通させるための突起（７）が形成されているものであってもかまわないものである。
【００４３】
本発明は、このような構成をとることによって、従来と同じような器具本体（３）に対しての反射板（２）の取り付け施工方法で、突起（７）にて反射板（２）の表面の塗膜を破り、同反射板（２）の塗膜の破れた部分で接地導通を確実に取ることができて、結果として、接地導通が容易にとれるものである。
【００４４】
すなわち、本発明は、電源電線や器具本体（３）内の配電線が触れる恐れのある反射板（２）に対して接地導通を確実にすることができるものである。
【００４５】
なお、上記突起（７）の具体的な形状としては、図１５の（ａ）ないし（ｃ）に示すごときものであるが、特に、同図に示すごとく、上記突起（７）が、垂直に立てられたものではなく、傾斜を付けたものであり、その頂点部（１２）が当たる構造であると、このような垂直に立てられたものではなく、傾斜を付けた突起（７）の頂点部（１２）が当たることで、反射板（２）の表面の塗膜を確実に破り、同反射板（２）の塗膜の破れた部分で接地導通をより一層確実に取ることができて、結果として、接地導通がより一層容易にとれるものである。
【００４６】
そして、図１５の（ａ）ないし（ｃ）に示すごとく、上記突起（７）の先端形状を鈍角となしているものであると、鈍角となしている突起（７）の先端形状にて施工取扱者が突起（７）でケガをするようなことはないものである。また、このような鈍角となしている突起（７）なので、集合梱包の輸送時などに、他の器具類に触れても、キズや打痕を付けることもないものである。
【００４７】
【発明の効果】
本発明の請求項１に係る照明器具によると、従来と同じような器具本体（３）に対しての反射板（２）の取り付け施工方法で、反射板（２）に形成されるラッチ（４）の突起（７）にて反射板（２）の表面の塗膜を破り、同反射板（２）の塗膜の破れた部分で接地導通を確実に取ることができて、結果として、接地導通が容易にとれるものである。
【００４８】
すなわち、本発明は、電源電線や器具本体（３）内の配電線が触れる恐れのある反射板（２）に対して接地導通を確実にすることができるものである。
【００４９】
本発明の請求項１に係る照明器具によると、上記の場合に加えて、高さの異なる凹凸（９）の存在にて反射板（２）を取り付けていない状態では、反射板（２）およびラッチ（４）に形成された凹凸（９）の大きさが合わないために、反射板（２）とラッチ（４）との間に隙間ができ、突起（７）が反射板（２）に触れず、塗膜を破ることはないものであって、結果的に、ラッチ（４）の回転中に塗膜保護機能を有するようになるものである。
【００５８】
本発明の請求項２に係る照明器具によると、請求項１記載の場合に加えて、このような垂直に立てられたものではなく、傾斜を付けた突起（７）の頂点部（１２）が当たることで、反射板（２）の表面の塗膜を確実に破り、同反射板（２）の塗膜の破れた部分で接地導通をより一層確実に取ることができて、結果として、接地導通がより一層容易にとれるものである。
【００５９】
本発明の請求項３に係る照明器具によると、請求項１又は２記載の場合に加えて、鈍角となしている突起（７）の先端形状にて施工取扱者が突起（７）でケガをするようなことはないものである。また、このような鈍角となしている突起（７）なので、集合梱包の輸送時などに、他の器具類に触れても、キズや打痕を付けることもないものである。
【図面の簡単な説明】
【図１】  （ａ）は、本発明の第１の実施形態に係る照明器具を示した断面図であり、（ｂ）は、（ａ）の照明器具において、反射板とラッチの近傍のみを示した断面図であり、（ｃ）は、（ａ）の照明器具において、器具本体とラッチの近傍のみを示した断面図である。
【図２】  本発明の第１の実施形態に係る照明器具を示した、ラッチバネに取り付けられる前の様子の断面図である。
【図３】  本発明の第１の実施形態に係る照明器具を示した、反射板取り付け前の断面図である。
【図４】  （ａ）は、図３のＡ矢視図であり、（ｂ）は、図３のＢ矢視図である。
【図５】  （ａ）は、図４の（ｂ）のＣ−Ｃ断面図であり、（ｂ）は、図４の（ｂ）のＤ−Ｄ断面図である。
【図６】  本発明の第１の実施形態に係る照明器具を示した、反射板取り付け後の断面図である。
【図７】  （ａ）、（ｂ）ともに、本発明の第１の実施形態に用いられる反射板とラッチとに形成された凹凸の大きさが合っているために、同反射板と同ラッチとの間に隙間はできず、突起は反射板に食い込み、接地導通を確保している様子を示した平面図である。
【図８】  （ａ）は、図７の（ｂ）のＣ−Ｃ断面図であり、（ｂ）は、図７の（ｂ）のＤ−Ｄ断面図である。
【図９】  本発明の第１の参考例に係る照明器具を示した断面図である。
【図１０】  本発明の第１の参考例に係る照明器具に用いられる反射板止め金具を示した平面図である。
【図１１】  本発明の第２の参考例に係る照明器具を示した断面図である。
【図１２】  図１１のＡ矢視図である。
【図１３】  （ａ）は、本発明の第３の参考例に係る照明器具を示した断面図であり、（ｂ）は、（ａ）の要部のみを示した断面図である。
【図１４】  本発明の第３の参考例に係る照明器具を示した要部の平面図である。
【図１５】  （ａ）ないし（ｃ）は、いずれも本発明の照明器具に用いられる突起の形状を示した概略図である。
【図１６】  一従来例に係る照明器具を示した分解斜視図である。
【図１７】  一従来例に係る照明器具を組み立てる際の様子を順序立てて示した要部のみの断面図である。
【図１８】  他の一従来例に係る照明器具を示した分解斜視図である。
【図１９】  図１８の照明器具を示した断面図である。
【図２０】  さらに他の一従来例に係る照明器具を示した分解斜視図である。
【図２１】  図２０の照明器具を示した断面図である。
【符号の説明】
１    ランプ
２    反射板
３    器具本体
４    ラッチ
５    ラッチバネ
７    突起
９    凹凸
１０  反射板止め金具
１１  ソケット台
１２  頂点部
【図１】
0004389384.tif 000002
【図２】
0004389384.tif 000003
【図３】
0004389384.tif 000004
【図４】
0004389384.tif 000005
【図５】
0004389384.tif 000006
【図６】
0004389384.tif 000007
【図７】
0004389384.tif 000008
【図８】
0004389384.tif 000009
【図９】
0004389384.tif 000010
【図１０】
0004389384.tif 000011
【図１１】
0004389384.tif 000012
【図１２】
0004389384.tif 000013
【図１３】
0004389384.tif 000014
【図１４】
0004389384.tif 000015
【図１５】
0004389384.tif 000016
【図１６】
0004389384.tif 000017
【図１７】
0004389384.tif 000018
【図１８】
0004389384.tif 000019
【図１９】
0004389384.tif 000020
【図２０】
0004389384.tif 000021
【図２１】
0004389384.tif 000022